(57)【特許請求の範囲】
【請求項１】
戸枠８に装着された受け金具９内に設けられ、かつ、作動杆５１の先端部に磁性体５２を有するソレノイド５０と、一方、開き戸１に装着された錠ケース２に設けられた施解錠用各部材とから成る非常口用電気ストライクであり、前記施解錠用各部材は、錠ケース２にバネ５７により一方向に付勢された状態で軸支され、かつ、前記磁性体に対向すると反発する被磁性体６１を有する回転係合体５５と、錠ケース２に直接又は間接的に回転可能に設けられ、かつ、回転係合体５５に当接する連動用レバー部２２を有すると共にバネ２３で先端部２１ａが係合方向に付勢されたロックバー２１と、錠ケース２に水平方向に案内されるように設けられ、かつ、磁性体の極性に対応して反発回転する前記回転係合体５５に連動して回転するロックバー２１との係合が解消されると、バネ２５のバネ力により錠ケース２内へと自動的に後退するデッドボルト３と、このデッドボルトを受け金具９側へ前進させることができるように錠ケース２に回動可能に設けられた操作部材２７とから成ることを特徴とする非常口用電気ストライク。
【請求項２】
請求項１に於いて、回転係合体５５は、回転板用バネ５７で時計方向に付勢された回転板５８と、この回転板５８に下方方向に延設するように設けられた前方のアーム５９と、この前方のアーム５９に対向するように回転板５８に設けられた後方の係合アーム６０と、前記前方のアーム５９の下端部に固定的に設けられ、かつ、ソレノイド側の磁性体５２の極性に対応して反発する被磁性体６１とから成ることを特徴とする非常口用電気ストライク。
【請求項３】
請求項１に於いて、操作部材２７は、ダルマ部２８と、このダルマ部２８から一方向に延びた係合板部２９とから成り、前記ダルマ部２８にはデッドボルト３のラック１４と噛合するピニオン３０が設けられ、一方、前記係合板部２９の端部は弧状に形成されていると共に、回転係合体５５の係合アーム６０の端部と摺接することを特徴とする非常口用電気ストライク。
【請求項４】
請求項３に於いて、回転係合体５５の係合アーム６０の端部には、操作部材２７の係合板部２９の周端面２９ａと摺接する回転ローラ６３が設けられていることを特徴とする非常口用電気ストライク。
【請求項５】
戸枠８Ａに装着された受け金具９Ａ内に設けられた電磁石５２Ａと、一方、開き戸１Ａに装着された錠ケース２Ａに設けられた施解錠用各部材とから成る非常口用電気ストライクであり、前記施解錠用各部材は、錠ケース２Ａにバネ５７Ａにより一方向に付勢された状態で軸支され、かつ、前記電磁石が通電状態になると反発する被磁性体６１Ａを有する回転係合体５５Ａと、錠ケース２Ａに直接又は間接的に回転可能に設けられ、かつ、回転係合体５５Ａに当接する連動用レバー部２２Ａを有すると共にバネ２３Ａで先端部２１ａが係合方向に付勢されたロックバー２１Ａと、錠ケース２Ａに水平方向に案内されるように設けられ、かつ、電磁石５２Ａの磁性に対して反発回転する前記回転係合体５５Ａに連動して回転するロックバー２１Ａとの係合が解消されると、バネ２５Ａのバネ力により錠ケース２Ａ内へと自動的に後退するデッドボルト３Ａと、このデッドボルトを受け金具９Ａ側へ前進させることができるように錠ケース２Ａに回動可能に設けられた操作部材２７Ａとから成ることを特徴とする非常口用電気ストライク。
【発明の詳細な説明】
【０００１】
【発明の属する技術分野】
本発明は非常口用電気ストライクに関する。本発明は、例えば特別養護老人ホームや病院などの非常口用開き戸に適する。
【０００２】
【従来の技術】
従来、特別養護老人ホームや病院などの非常口用開き戸は、火災、緊急時等の非常時以外の時は施錠状態になっている場合が多い。しかして、非常口用開き戸は、開き戸を閉めた際に管理上の観点からデッドボルトを確実に施錠すべきである反面、火災など非常事態の場合には、例えば遠隔制御装置の制御により、自動的にデッドボルトの施錠を解き、キーがなくとも、直ちに開き戸をあけることができることが望ましい。
【０００３】
【発明が解決しようとする課題】
しかしながら、従来、特別養護老人ホームや病院などの非常口用開き戸に於いては、まず開き戸を閉じ、次に操作部材によりデッドボルトを受け金具に進入させた時に、該デッドボルトをロック手段により自動的に施錠することができる反面、非常事態の場合に自動的にデッドボルトを解錠状態にすることができる非常口用電気ストライクが存在しない。
【０００４】
そこで、請求項１または請求項５記載の発明は、操作部材によりデッドボルトを受け金具に進入させた時に、該デッドボルトをロック手段により自動的に施錠することができ、一方、火災など非常事態の場合に遠隔制御装置の制御により、自動的にデッドボルトを解錠状態にすることができる非常口用電気ストライクを提供することである。
【０００５】
【課題を解決するための手段】
本発明の非常口用電気ストライクは、戸枠８に装着された受け金具９内に設けられ、かつ、作動杆５１の先端部に磁性体５２を有するソレノイド５０と、一方、開き戸１に装着された錠ケース２に設けられた施解錠用各部材とから成る非常口用電気ストライクであり、前記施解錠用各部材は、錠ケース２にバネ５７により一方向に付勢された状態で軸支され、かつ、前記磁性体に対向すると反発する被磁性体６１を有する回転係合体５５と、錠ケース２に直接又は間接的に回転可能に設けられ、かつ、回転係合体５５に当接する連動用レバー部２２を有すると共にバネ２３で先端部２１ａが係合方向に付勢されたロックバー２１と、錠ケース２に水平方向に案内されるように設けられ、かつ、磁性体の極性に対応して反発回転する前記回転係合体５５に連動して回転するロックバー２１との係合が解消されると、バネ２５のバネ力により錠ケース２内へと自動的に後退するデッドボルト３と、このデッドボルトを受け金具９側へ前進させることができるように錠ケース２に回動可能に設けられた操作部材２７とから成ることを特徴とする。
【０００６】
上記構成に於いては、磁性体を備えたソレノイドに代え、電磁石を受け金具内に設けても良い。
【０００７】
【発明の実施の形態】
以下、図面に示す本発明の実施の形態を、非常口に於ける開き戸に取り付けたデッドボルト等を有する錠ケースと、前記デッドボルト等に対する戸枠側に取り付けたソレノイドあるいは電磁石との関係で説明する。
【０００８】
図１ないし図６に基づき本発明の使用状態の一例について説明する。１は、例えば非常口の開き戸である。２は開き戸１の開口する側部内に固定的に装着された錠ケースで、この錠ケース２内にはデッドボルト３等が取り付けられている。デッドボルト３は操作（駆動）部材２７の駆動力により、錠ケース２に適宜に案内されながら錠ケース２のフロント７から水平方向へ出没する。操作部材２７としては、本実施例では、キーやサムターンで回動するダルマが用いられており、敢えて該ダルマと組み合わせ、他の操作部材であるレバーハンドル装着用のハンドルカムを設ける必要はない。要はデッドボルト３を錠ケース２から出す操作（駆動）部材が１つあれば十分である。
【０００９】
まずこのデッドボルト３について説明する。図４で示すように、６はデッドボルト３の先端部である。この先端部６は、施錠時、錠ケース２のフロント７の開口から突出し、かつ、戸枠８側に設けられたボックス状受け金具９の開口へ進入し、前記受け金具９の内壁面に固定的に設けられたマイクロスイッチ１０と当接する。
【００１０】
１１はデッドボルト３の中央部で、この中央部１１は前記先端部６よりも幅広に形成され、施錠時、先端部６と交差するその上下の垂直面１１ａ、１１ｂの一方、本実施例では下の垂直面１１ｂはフロント７の内面と当接する。前記上の垂直面１１ａは、ロックバー２１の係合を考慮し、下の垂直面１１ｂよりも多少後方側にオフセットした位置に設けられ、かつ、アールに形成されている。
【００１１】
１２は先端部６と中央部１１の堺である前記上の垂直面１１ａの下に相当する部位に形成された切欠部あるいは凹所で、この凹所１２にはロックバー２１の先端部２１ａが係脱する。
【００１２】
１３は中央部１１の上部寄りの部位に形成された案内長孔で、この案内長孔１３はデッドボルト３の長さ方向に沿って形成されている。１４は中央部１１の上部に形成されたラックである。
【００１３】
１５はデッドボルト３の後端部で、この後端部１５は先端部６よりも幅狭に形成され、デッドボルト３の長さ方向に沿って延びている。１６は中央部１１と後端部１５の両方にかけてデッドボルト３の長さ方向に形成されたバネ収納部である。
【００１４】
次に上記デッドボルト３と関わり合う各部材について説明する。２０はデッドボルト３の案内長孔１３に挿通されたガイドピンで、このガイドピン２０は錠ケース２に横設軸架されている。
【００１５】
２１はこのガイドピン２０に揺動可能に設けられたロックバーで、このロックバー２１の先端部２１ａは前述した凹所１２と係脱し、一方、その後端部２１ｂはガイドピン２０に軸支されている。そして、ロックバー２１の先端部２１ａ寄りの部位には交差方向に上方に延びる連動用レバー部２２が形成されている。したがって、ロックバー２１の形状は、全体として逆「Ｔ」の字状に見える。
【００１６】
ところで、このロックバー２１とガイドピン２０との関係について言えば、両方の部材は一体又は別体のいずれでも良い。またロックバー２１とデッドボルト３の凹所１２と係脱関係でいえば、先端部２１ａの形状はロックバー２１の装着位置との関係で適宜に形成し得る。したがって、ロックバー２１をデッドボルト３にどのように設けるかと言う構成は、本発明では重要な事項ではない。なお、ロックバー２１は、ガイドピン２０に中央部が巻装されたロックバー用バネ２３により、図２又は図３を基準にすると、反時計（デッドボルト３と係合する）方向に適宜付勢されている。
【００１７】
２５はデッドボルト３のバネ収納部１６に収納されたデッドボルト用バネで、このバネ２５の先端部は錠ケース２の内壁面に固定されたバネ支持片２６に取付けられ、デッドボルト３を錠ケース２の内部（解錠）方向へ付勢する。
【００１８】
２７はデッドボルト３の中央部１１の上方に位置するように錠ケース２に回動自在に設けられた操作部材である。この操作部材２７は、デッドボルト３を受け金具９側（施錠方向）に前進させる駆動機能を有し、本実施例ではキー又はサムターンで回転するダルマが用いられている。
【００１９】
しかして、操作部材２７は、ダルマ部２８と、このダルマ部２８から一方向に延びた幅広の係合板部２９とから成り、前記ダルマ部２８にはデッドボルト３のラック１４と噛合するピニオン３０が設けられ、一方、前記係合板部２９の端部は弧状ないし円弧状に形成されていると共に、その周端面２９ａは後述する回転係合体５５の係合アーム６０の回転ローラ６３と摺接ないし係脱可能である。
【００２０】
次に施錠あるいはロック機構を構成する各部材について説明する。このロック機構は、手動操作により操作部材２７が回転し、その結果、受け金具９に進入したデッドボルト３に対し、ソレノイドに通電することにより、該デッドボルト３を自動的に施錠する。このロック機構を構成する各部材は、他方ではソレノイドが非通電状態になると、デッドボルト３の施錠状態を解除する機能を有する。
【００２１】
しかして、５０は受け金具９内に縦方向に配設されたソレノイドで、このソレノイド５０は図示しない遠隔制御装置と電気的に接続している。５１はソレノイド５０の作動杆で、上下方向に伸縮動する突出下端部には磁性体５２が設けられている。そして、この磁性体５２は、図３で示すようにソレノイド５０が非通電状態の場合に於いて、作動杆５１がバネ部材５３のバネ力により下方方向に伸長すると、受け金具９に形成した窓部５４に臨むことができる。
【００２２】
一方、５５はソレノイド５０と対向するように錠ケース２内の操作部材２７よりも上方に配設された回転係合体である。この回転係合体５５は、本実施例では錠ケース２に横軸５６を介して枢支され、かつ、図３を基準にすると回転板用バネ５７で時計方向に付勢された回転板５８と、この回転板５８に下方方向に延設するように設けられた前方のアーム５９と、この前方のアーム５９に「ハ」の字状に対向するように回転板５８に設けられた後方の係合アーム６０と、前記前方のアーム５９の下端部に固定的に設けられ、かつ、ソレノイド側の磁性体５２の極性に対応して反発する被磁性体６１と、後方の係合アーム６０の下端部に軸支された回転ローラ６３とから成る。
【００２３】
そして、前記前方のアーム５９は、本実施例では前述したロックバー２１の連動用レバー部２２と当接し、例えばソレノイド５０の非通電時に、回転係合体５５の回転を介し、バネ２３で係合方向に付勢されているロックバー２１をデッドボルト３の凹所１２からその係合を解除させるために設けられている。
【００２４】
一方、前記後方の係合アーム６０は、図２で示すように、通電時回転ローラ６３が操作部材２７の係合板部２９の周端面２９ａと係合ないし当接する。この係合アーム６０と操作部材２７の係合板部２９との係合構成は、例えば操作部材２７を図示しないキーによって操作し、デッドボルト３を自動的に解錠させたい場合を考慮している。
【００２５】
すなわち、図２で示す通電時に、キーで操作部材２７を反時計方向に回転しようとすると、操作部材２７の係合板部２９の周端面２９ａが回転係合体５５の回転ローラ６３に当接しているため、図６で示すように回転係合体５５の係合アーム６０は反時計方向へ回転する係合板部２９で一旦上方に押し上げられた格好になる。そのため回転係合体５５はバネ５７のバネ力に抗して反時計方向に回転し、一方、これに連動するロックバー２１はバネ２３のバネ力に抗して時計方向へ回転すると共に、デッドボルト３との係合が解除される。したがって、この場合もデッドボルト３はバネ２５のバネ力により自動的に錠ケース２内に戻る。
【００２６】
なお、錠ケース２のフロント７にも受け金具９の窓部５４に対応する窓部６２が形成されている。
【００２７】
上記構成に於て、図２が手動操作通電時施錠の状態を示す。一方、図３が非通電時自動解錠の状態を示す。そこで、まず図３の解錠状態から図２の施錠状態と成る場合について説明する。例えば図３で示す解錠時に、操作部材２７をキー又はサムターンで時計方向に回すと、ピニオン３０とラック１４との関係により、デッドボルト３はそのバネ２５のバネ力に抗して受け金具９へと前進し、やがてマイクロスイッチ１０に当接する。デッドボルト３の先端部６がマイクロスイッチ１０に接触すると、図示しない遠隔制御装置により、ソレノイド５０が直ちに通電状態と成る。ソレノイド５０が通電状態と成ると、作動杆５１がそのバネ部材５３のバネ力に抗して図２で示すように収縮し、磁性体５２は被磁性体６１から離れる。そうすると、バネ５７で時計方向に付勢されている回転係合体５５は時計方向へ回転する。したがって、被磁性体６１はフロント７の窓部６２に接近する。その結果、バネ２３で反時計（係合）方向へ付勢されていたロックバー２１の先端部２１ａがデッドボルト３の凹所１２に係合し、これによりデッドボルト３は施錠される。
【００２８】
次に図２の施錠状態から自動的に図３の解錠状態になる場合について説明する。ところで、一般的に図３で示すようなデッドボルト３の解錠は、例えば火災など非常時の場合に遠隔制御装置の制御によりなされる。この第１実施例に於いては、ソレノイド５０は非通電状態になる。そうすると、その作動杆５１がバネ部材５３のバネ力により下方に伸張する。その結果、作動杆５１の磁性体５２が回転係合体５５の被磁性体６１と対向するので、回転係合体５５は回転板用バネ５７のバネ力に抗して反時計方向へと回転する。回転係合体５５が反時計方向へ回転すると、これに連動するロックバー２１がそのバネ２３のバネ力に抗して時計方向へ回転し、その結果、ロックバー２１の先端部２１ａとデッドボルト３の凹所１２との係合状態が解消される。そうすると、デッドボルト３はそのバネ２５のバネ力により錠ケース２内へと後退し、これによりデッドボルト３は解錠される。この時操作部材２７はピニオン３０とラック１４との関係により、反時計方向へと回転している。。したがって、キーがなくとも開き戸１を自由に開けることができる。
【００２９】
【実施例】
以下、非通電又は通電状態により自動的にデッドボルトを解錠することができる非常口用電気ストライクの実施例を列挙する。なお、実施例の説明に於いては、図面に発明の実施の形態で説明した符号をそのまま付し、あるいは同様の符号を付し、重複する説明を省略する。
【００３０】
まず図２ないし図６に基づき、本発明の実施の形態で説明した第１実施例を説明する。この第１実施例の非常口用電気ストライクは、非通電状態により自動的にデッドボルトを解錠することができる。
【００３１】
しかして、この非常口用電気ストライクは、戸枠８に装着された受け金具９内に設けられ、かつ、作動杆５１の先端部に磁性体５２を有するソレノイド５０と、一方、開き戸１に装着された錠ケース２に設けられた施解錠用各部材とから成る非通電時自動解錠の非常口用電気ストライクであり、前記施解錠用各部材は、錠ケース２にバネ５７により一方向に付勢された状態で軸支され、かつ、前記磁性体に対向すると反発する被磁性体６１を有する回転係合体５５と、錠ケース２に直接又は間接的に回転可能に設けられ、かつ、回転係合体５５に当接する連動用レバー部２２を有すると共にバネ２３で先端部２１ａが係合方向に付勢されたロックバー２１と、錠ケース２に水平方向に案内されるように設けられ、かつ、磁性体の極性に対応して反発回転する前記回転係合体５５に連動して回転するロックバー２１との係合が解消されると、バネ２５のバネ力により錠ケース２内へと自動的に後退するデッドボルト３と、このデッドボルトを該デッドボルト３に形成されたラック１４と噛合するピニオン３０を介して受け金具９側へ前進させることができるように錠ケース２に回動可能に設けられた操作部材２７とから成る。しかして、具体的な細部の構成は、発明の実施の形態で詳細に説明したので省略する。
【００３２】
次に図７及び図８は第２実施例の非常口用電気ストライクである。この非常口用電気ストライクは、通電状態により自動的にデッドボルトを解錠することができる。
【００３３】
しかして、この非常口用電気ストライクは、戸枠８Ａに装着された受け金具９Ａ内に設けられた電磁石５２Ａと、一方、開き戸１Ａに装着された錠ケース２Ａに設けられた施解錠用各部材とから成る非通電時自動解錠の非常口用電気ストライクであり、前記施解錠用各部材は、錠ケース２Ａにバネ５７Ａにより一方向に付勢された状態で軸支され、かつ、前記電磁石が通電状態になると反発する被磁性体６１Ａを有する回転係合体５５Ａと、錠ケース２Ａに直接又は間接的に回転可能に設けられ、かつ、回転係合体５５Ａに当接する連動用レバー部２２Ａを有すると共にバネ２３Ａで先端部２１ａが係合方向に付勢されたロックバー２１Ａと、錠ケース２Ａに水平方向に案内されるように設けられ、かつ、電磁石５２Ａの磁性に対して反発回転する前記回転係合体５５Ａに連動して回転するロックバー２１Ａとの係合が解消されると、バネ２５Ａのバネ力により錠ケース２Ａ内へと自動的に後退するデッドボルト３Ａと、このデッドボルトを該デッドボルト３Ａに形成されたラック１４Ａと噛合するピニオン３０Ａを介して受け金具９Ａ側へ前進させることができるように錠ケース２Ａに回動可能に設けられた操作部材２７Ａとから成る。
【００３４】
したがって、この第２実施例は、作動杆の突出先端部に磁性体を有するソレノイドに代えて電磁石５２Ａにした点が第１実施例と異なる。
【００３５】
【発明の効果】
以上の説明から明らかなように、本発明にあっては次に列挙するような効果がある。
（１）デッドボルト３、３Ａが突出した時に、戸枠側に取り付けたソレノイドが通電状態になると、又は電磁石が非通電状態になると、回転係合体５５、５５Ａがバネ５７、５７Ａのバネ力により時計方向へと回転する。したがって、この回転係合体５５、５５Ａに当接する連動用レバー部２２を有すると共にバネ２３で先端部２１ａが係合方向に付勢されたロックバー２１、２１Ａは、直ちにデッドボルト３、３Ａに係合する。それ故に、デッドボルト３、３Ａは、ロックバー２１、回転係合体５５等で構成されるロック手段により、確実に施錠状態と成る。（２）一方、、ソレノイド５０が非通電常態になると、又は電磁石が通電状態になると、錠ケース側の被磁性体６１、６１Ａは受け金具９、９Ａ側の磁性体５２（又は電磁石５２Ａ）に対し、その極性（磁性）に対応して回転係合体５５、５５Ａが反時計方向へと回転するので、この回転係合体５５、５５Ａに当接する連動用レバー部２２を有するロックバー２１、２１Ａは、そのバネ２３、２３Ａのバネ力に抗してデッドボルト３、３Ａから係合解除の方向へと離れる。したがって、デッドボルト３、３Ａは、そのバネ２５、２５Ａのバネ力により、自動的に錠ケース内に後退し、解錠状態と成る。そして、非常時には、キーがなくても、直ちに開き戸１、１Ａを開くことができる。
【図面の簡単な説明】
図１ないし図６は本発明の実施の形態を説明するための各説明図。特に図２ないし図６は本発明の第１実施例の各説明図。図７及び図８は本発明の第２実施例を示す各説明図。
【図１】第１実施例を用いた実施の形態を説明するための説明図（通電状態の場合）。
【図２】図１に於ける第１実施例の概略説明図（通電状態の場合）。
【図３】図１に於ける第１実施例の概略説明図（非通電状態の場合）。
【図４】要部（デッドボルト）の斜視図。
【図５】回転係合体、ロックバー、デッドボルトとの関係を示す説明図。
【図６】操作部材、回転係合体、ロックバーとの関係を示す説明図。
【図７】第２実施例の概略説明図（手動操作非通電時施錠の状態）。
【図８】第２実施例の概略説明図（通電時自動解錠の状態）。
【符号の説明】
１…開き戸、２…錠ケース、３…デッドボルト、
６…先端部、７…フロント、８…戸枠、９…受け金具、
１０…マイクロスイッチ、１１…中央部、１２…凹所、
１４…ラック、１５…後端部、１６…バネ収納部、２０…ガイドピン、
２１…ロックバー、２２…連動用レバー部、２３、２５、５７…バネ、
２７…操作部材、２８…ダルマ部、２９…係合板部、
３０…ピニオン、５０…ソレノイド、
５１…作動杆、５２…磁性体、５４、６２…窓部、５５…回転係合体、
５９…前方のアーム、６０…後方の係合アーム、６１…被磁性体、
６３…回転ローラ。
【図１】
0003775834.tif 000002
【図２】
0003775834.tif 000003
【図３】
0003775834.tif 000004
【図４】
0003775834.tif 000005
【図５】
0003775834.tif 000006
【図６】
0003775834.tif 000007
【図７】
0003775834.tif 000008
【図８】
0003775834.tif 000009